(57)【特許請求の範囲】
【請求項１】
アプリケーション層のアプリケーションから出力される印刷物の印刷データを、ＯＳカーネル層で取得し、
前記アプリケーション層で、取得された前記印刷物の印刷データを解析し、
前記印刷物の印刷データに所定の販売情報が含まれている場合に、表示装置で顧客に表示する表示データを生成し、
前記表示データを出力することを、ＰＯＳ端末装置を構成するコンピューターに実行させて、広告宣伝機能を拡張する処理を実行させることを特徴とする広告宣伝機能拡張プログラム。
【請求項２】
前記表示データを生成するか否かの判断と前記表示データの内容は、前記ＰＯＳ端末装置のユーザーが設定可能であり、予め前記コンピューターに記憶されるルール情報に基づいて実行させる請求項１に記載の広告宣伝機能拡張プログラム。
【請求項３】
前記販売情報は販売した商品の識別情報であり、前記表示データは前記商品に関する広告宣伝情報を表示するデータである請求項１または２に記載の広告宣伝機能拡張プログラム。
【請求項４】
前記表示データを出力した後に、クーポン券の発行指示を受けた場合に、前記クーポン券の印刷データを生成し、
前記クーポン券の印刷データを出力することを、前記コンピューターに実行させる請求項１乃至３のいずれか１項に記載の広告宣伝機能拡張プログラム。
【請求項５】
前記印刷物はレシートであり、
前記クーポン券の印刷データは、取得された前記印刷物の印刷データに統合されて、一印刷物の印刷データとして出力させる請求項４に記載の広告宣伝機能拡張プログラム。
【請求項６】
ＰＯＳ端末装置を構成するコンピューターで、アプリケーション層のアプリケーションから出力される印刷物の印刷データを、ＯＳカーネル層で取得し、
取得された前記印刷物の印刷データを解析し、
前記印刷物の印刷データに所定の販売情報が含まれている場合に、表示装置で顧客に表示する表示データを生成し、
前記表示データを前記コンピューターに接続される前記表示装置に出力することを特徴とする広告宣伝機能拡張方法。
【請求項７】
アプリケーション層のアプリケーションから出力される印刷物の印刷データをＯＳカーネル層で取得するデータ取得部と、
前記アプリケーション層で、前記データ取得部で取得された前記印刷物の印刷データを解析し、前記印刷物の印刷データに所定の販売情報が含まれている場合に、表示装置で顧客に表示する表示データを生成し、前記表示データを出力する機能拡張処理部と、を有することを特徴とするホスト装置。
【発明の詳細な説明】
【技術分野】
【０００１】
本発明は、既存のＰＯＳシステムの広告宣伝機能を拡張するためのプログラム等に関し
、特に、既存のアプリケーションを変更することなしに、容易に、多彩な機能拡張を実現
することのできる広告宣伝機能拡張プログラム等に関する。
【背景技術】
【０００２】
スーパーマーケットなどの小売販売業においては販売管理システムであるＰＯＳシステ
ムが普及しており、当該システムでは、サーバーとネットワークで接続される複数の端末
装置（レジ）が当該装置に備えられるアプリケーションに従って動作し各種の処理を実行
する。また、通常、当該端末装置には、それぞれ、プリンターが設けられ、上記アプリケ
ーションの指示によりレシートやクーポンの出力を実行する。
【０００３】
このようなシステムにおいても、導入後の技術向上や業務改善要望に伴って、機能拡張
の必要が出てくる場合がある。その機能拡張の一つとして、近年普及しつつある、店員側
へ表示するディスプレイと顧客側へ表示するディスプレイの双方を備えたＰＯＳ端末装置
、の導入に伴って、顧客への広告宣伝表示機能を拡張することが望まれる。
【０００４】
しかしながら、かかるシステムは一般に業務の中枢として常時利用されているものであ
り、また、他のシステムとも複雑に連携している場合も多いため、そのアプリケーション
を改変することは通常容易ではない。
【０００５】
かかる課題に関連して、出力処理系の機能に関し、従来、以下のような提案がなされて
いる。
【０００６】
下記特許文献１では、すでに存在するアプリケーションプログラムを修正する必要なし
に、従来のモデムに必要とされていたマイクロプロセッサおよびメモリを除去することが
可能なパーソナルコンピュータ中でモデム機能を実行する装置について記載されている。
【０００７】
また、下記特許文献２には、アプリケーションを変更することなく、１つの通信ポート
にアクセスすることにより、他の通信ポートに接続されているプリンターへも同時に印刷
を実行させることができ、複製印刷を可能にする装置について記載されている。
【先行技術文献】
【特許文献】
【０００８】
【特許文献１】特開平８−６９４２７号公報
【特許文献２】特開２００６−３３８４４３号公報
【発明の概要】
【発明が解決しようとする課題】
【０００９】
しかしながら、上記特許文献１及び２に記載の内容では、モデム機能、複製印刷機能な
ど出力系の限られた機能を実現するに留まり、上述した２面ディスプレイの使用等による
広告宣伝機能の拡張は実現できない。
【００１０】
また、上記特許文献２では、ＯＳカーネル層での処理であるため、一般に機能構築（プ
ログラム開発等）が容易ではなく機能も限られてしまうという課題がある。
【００１１】
そこで、本発明の目的は、既存のＰＯＳシステムの広告宣伝機能を拡張するためのプロ
グラムであって、既存のアプリケーションを変更することなしに、容易に、多彩な機能拡
張を実現することのできる広告宣伝機能拡張プログラム、等を提供することである。
【課題を解決するための手段】
【００１２】
上記の目的を達成するために、本発明の一つの側面は、広告宣伝機能拡張プログラムが、アプリケーション層のアプリケーションから出力される前記印刷物の印刷データを、前記ＯＳカーネル層で取得し、前記アプリケーション層で、取得された前記印刷物の印刷データを解析し、前記印刷物の印刷データに所定の販売情報が含まれている場合に、顧客に表示する表示データを生成し、前記表示データを出力することをＰＯＳ端末装置を構成するコンピューターに実行させる、ことである。
【００１３】
更に、上記発明において、その好ましい態様は、前記表示データを生成するか否かの判断と前記表示データの内容は、前記ＰＯＳ端末装置のユーザーが設定可能であり、予め前記コンピューターに記憶されるルール情報に基づいて実行させる、ことを特徴とする。
【００１４】
更にまた、上記発明において、好ましい態様は、前記販売情報は販売した商品の識別情
報であり、前記表示データは当該商品に関する広告宣伝情報を表示するデータである、こ
とを特徴とする。
【００１５】
また、上記発明において、好ましい態様は、更に、前記表示データを出力した後に、クーポン券の発行指示を受けた場合に、前記クーポン券の印刷データを生成し、前記クーポン券の印刷データを出力することを、前記コンピューターに実行させる、ことを特徴とする。
【００１６】
更に、上記発明において、一つの態様は、前記印刷物はレシートであり、前記クーポン券の印刷データは、取得された前記印刷物の印刷データに統合されて、一印刷物の印刷データとして出力される、ことを特徴とする。
【００１７】
上記の目的を達成するために、本発明の別の側面は、広告宣伝機能拡張方法が、ＰＯＳ端末装置を構成するコンピューターで、アプリケーション層のアプリケーションから出力される前記印刷物の印刷データを、ＯＳカーネル層で取得し、取得された前記印刷物の印刷データを解析し、前記印刷物の印刷データに所定の販売情報が含まれている場合に、顧客に表示する表示データを生成し、前記表示データを前記コンピューターに接続される顧客側表示装置に出力することである。
【００１８】
上記の目的を達成するために、本発明の更に別の側面は、ホスト装置が、アプリケーション層のアプリケーションから出力される前記印刷物の印刷データを、ＯＳカーネル層で取得するデータ取得部と、前記アプリケーション層で、前記データ取得部で取得された前記印刷物の印刷データを解析し、前記印刷物の印刷データに所定の販売情報が含まれている場合に、顧客に表示する表示データを生成し、前記表示データを出力する機能拡張処理部と、を有する、ことである。
【００１９】
本発明の更なる目的及び、特徴は、以下に説明する発明の実施の形態から明らかになる
。
【図面の簡単な説明】
【００２０】
【図１】本発明を適用したＰＯＳ端末装置の実施の形態例に係る概略構成図である。
【図２】広告宣伝処理の処理手順を例示したフローチャートである。
【発明を実施するための形態】
【００２１】
以下、図面を参照して本発明の実施の形態例を説明する。しかしながら、かかる実施の
形態例が、本発明の技術的範囲を限定するものではない。なお、図において、同一又は類
似のものには同一の参照番号又は参照記号を付して説明する。
【００２２】
図１は、本発明を適用したＰＯＳ端末装置の実施の形態例に係る概略構成図である。図
１に示すＰＯＳ端末装置１が本発明を適用した装置であり、当該装置では、ＰＯＳアプリ
ケーション１１から出力される印刷データ（例えば、レシートの印刷データ）をＯＳカー
ネル層１２０の仮想ポート１３で取得する。そして、取得したデータをアプリケーション
層１１０の機能拡張処理部１４で受け取り、印刷データに含まれる販売情報（例えば、販
売された商品コード等）から顧客に広告宣伝情報を表示するか否かを判断する。その結果
、表示すると判断した場合には、表示用の画像データを生成してＰＯＳ端末装置１に接続
される（に備えられる）顧客側ディスプレイ２Ａに出力する。本ＰＯＳ端末装置１では、
かかる処理を実行することにより、既存のＰＯＳアプリケーション１１のプログラムを変
更することなく、ＰＯＳシステムの広告宣伝機能を容易に拡張できる。
【００２３】
本実施の形態例では、スーパーマーケットなどで用いられるＰＯＳシステムを想定して
おり、図１に示すＰＯＳ端末装置１は、図示していないが、ネットワークを介してＰＯＳ
サーバーに接続される。ＰＯＳサーバーは、複数のＰＯＳ端末装置１と接続され、それら
の管理とそれらから取得される各種データの集計、管理等の処理を実行する。
【００２４】
ＰＯＳ端末装置１は、店舗のレジに設置され、１以上のプリンター３（ここでは、プリ
ンター３Ａ及び３Ｂ）と接続される。プリンター３は、ＰＯＳ端末装置１から出力される
印刷データに従って、レシートやクーポンを出力する。従って、ＰＯＳ端末装置１はプリ
ンター３のホスト装置と位置づけられる。
【００２５】
また、ＰＯＳ端末装置１には、図１に示すディスプレイ２（顧客側ディスプレイ２Ａ及
び店員側ディスプレイ２Ｂ）が接続され、図示していないキーボードやバーコードリーダ
ーなどの入力装置が備えられる。
【００２６】
ＰＯＳ端末装置１は、上述した入力装置から取得される情報に基づいて、レシートやク
ーポンに印刷する情報を生成して、プリンター３へ出力する。当該ＰＯＳ端末装置１は、
コンピューターで構成され、図示していないが、ＣＰＵ、ＲＡＭ、ＲＯＭ、ＨＤＤなどを
備えている。後述するＰＯＳアプリケーション１１のプログラムや機能拡張処理のための
プログラムは、上記ＨＤＤ等に記憶され、それらのプログラムに従って上記ＣＰＵが動作
することにより各処理が実行される。
【００２７】
また、ＰＯＳ端末装置１は、図１に示すような機能構成となっている。まず、ＰＯＳア
プリケーション１１は、本発明に基づく機能拡張を行う前から備えられる既存ＰＯＳシス
テムにおけるアプリケーションである。ＰＯＳアプリケーション１１は、上述したレシー
トやクーポンに印刷する情報を生成して出力する処理等を行うが、ここで生成されるデー
タは、そのままプリンター３Ａ（既存ＰＯＳシステムにおけるプリンター）へ出力できる
形式のデータ、あるいは、プリンター３Ａ用ドライバー１２に渡す形式のデータである。
前者は、テキストだけの印刷など簡単な印刷データの場合に生成される。
【００２８】
また、プリンター３Ａ用ドライバー１２は、プリンター３Ａ用の既存ＰＯＳシステムに
備えられていたプリンタードライバーであり、ＰＯＳアプリケーション１１から出力され
たデータを、プリンター３Ａの機種（デバイス）に依存したコマンドによる、プリンター
３Ａが受信して印刷可能な印刷データとして出力する。
【００２９】
なお、ＰＯＳアプリケーション１１とプリンター３Ａ用ドライバー１２は、図１に示す
ように、コンピューターのオペレーティングシステム（ＯＳ）に基づきその上でプログラ
ムが各処理を実行するアプリケーション層１１０に位置する。また、両者は、それぞれの
処理内容を指示する上記ＨＤＤ等に格納されたプログラムと当該プログラムに従って処理
を実行する上記ＣＰＵ等によって構成される。
【００３０】
次に、仮想ポート１３（データ取得部）は、ＰＯＳアプリケーション１１又はプリンタ
ー３Ａ用ドライバー１２から出力された印刷データを、通信ポート１７が受け取る前に上
記オペレーティングシステムが位置するＯＳカーネル層１２０で受け取る部分である。そ
して、仮想ポート１３は、取得した印刷データを機能拡張処理部１４へ引き渡す。
【００３１】
次に、機能拡張処理部１４は、上記仮想ポート１３から引き渡された印刷データを用い
て顧客への宣伝広告を行う部分である。具体的には、受け取った印刷データを解析し、顧
客側ディスプレイ２Ａに広告宣伝のための表示を行うか否かを判断し、表示を行う場合に
はその画面用のデータを生成して、顧客側ディスプレイ２Ａに出力する処理、当該表示に
対してクーポン発行の要求があった場合にクーポン用の印刷データを生成して、プリンタ
ー３（ここでは、プリンター３Ｂ）に出力する処理などを実行する。これら処理の具体的
な処理手順については後述する。
【００３２】
次に、データ格納部１５は、上記機能拡張処理部１４が使用する各種データを記憶する
部分であり、上記ＨＤＤ等で構成される。ここに格納されるデータには、仮想ポート１３
から転送された印刷データがいずれの印刷物のものであるかを判別するためのルール、当
該印刷物のどの位置にどのような情報が配置されているかを示す情報、顧客への広告宣伝
表示についてのルール（以下、表示ルールと呼ぶ）、及び、当該表示やクーポンの印刷デ
ータを生成するために必要な画像データ（以下、画像ＤＢ）等がある。
【００３３】
上記表示ルールには、商品の識別情報（商品コード、商品名等）毎に表示内容と発行す
るクーポンの内容が収められている。また、上記画像ＤＢには、商品の外観画像や店舗ロ
ゴ等の画像データが読み出し可能に収められている。
【００３４】
次に、ルール設定部１６は、ＰＯＳ端末装置１のユーザー（例えば、店員）が上記表示
ルールや画像ＤＢのデータをデータ格納部１５に設定するための部分である。ユーザーは
、店員側ディスプレイ２Ｂ、前述した入力装置を用いて、ルール設定部１６を起動させ、
当該ルール設定部１６が提供するインターフェース画面に対して所定の操作を行うことに
より、所望の表示ルールや画像データを設定することができる。当該設定処理は、適時行
うことができ、その設定内容により、広告表示を行う商品や表示内容、発行するクーポン
の内容を自在に変更することができる。
【００３５】
なお、仮想ポート１３、機能拡張処理部１４、及び、ルール設定部１６は、それぞれ、
各部が行う処理を指示する、上記ＨＤＤ等に格納されたプログラムと、当該プログラムに
従って処理を実行する上記ＣＰＵ等によって構成される。また、これらの部分に係るプロ
グラムが本発明の広告宣伝機能拡張プログラムに相当する。
【００３６】
次に、ＰＯＳ端末装置１には、物理層１３０に通信ポート１７Ａ、１７Ｂ、１７Ｃ及び
１７Ｄが備えられ、それぞれ、プリンター３Ａ及び３Ｂ、顧客側ディスプレイ２Ａ（顧客
側表示装置）、店員側ディスプレイ２Ｂに接続される。
【００３７】
プリンター３は、一例として、プリンター３Ａが既存ＰＯＳシステムに備えられていた
モノクロプリンターであり、プリンター３Ｂが本発明による機能拡張時に新設されたカラ
ープリンターである。なお、ここでは、プリンター３Ａはレシートの印刷に用いられ、プ
リンター３Ｂはクーポンの印刷に用いられる。
【００３８】
また、店員側ディスプレイ２Ｂは、既存ＰＯＳシステムに備えられていた、店員に情報
を表示するために店員側を向いた表示装置であり、顧客側ディスプレイ２Ａは、機能拡張
時に新設された、顧客に情報を表示するために顧客側を向いた表示装置である。また、顧
客側ディスプレイ２Ａは、表示画面を顧客が触れることによって入力操作を行うことがで
きる、いわゆるタッチパネルとしての機能を有する。なお、ＰＯＳ端末装置１と顧客側デ
ィスプレイ２Ａと店員側ディスプレイ２Ｂが一体として構成された装置を用いてもよい。
この場合には、ＰＯＳ端末装置１の本体装置と店員側ディスプレイ２Ｂも機能拡張時に新
設されることになる。
【００３９】
これらＰＯＳ端末装置１及びその周辺装置は、上述のように、既存ＰＯＳシステムで備
えられていた装置に機能拡張に必要な部分を追加した構成となっており、当該追加された
部分は図１において太線で示される。
【００４０】
以上説明をしたような構成を有する本ＰＯＳ端末装置１では、印刷データを用いた顧客
への広告宣伝機能に特徴があり、以下、その機能の具体的な処理内容について説明する。
図２は、当該広告宣伝処理の処理手順を例示したフローチャートである。
【００４１】
まず、前述の通り、ＰＯＳアプリケーション１１から直接、又は、プリンター３Ａ用ド
ライバー１２を介して、印刷データが出力される。ここでは、当該印刷データは、プリン
ター３Ａから出力することを想定しているレシートの印刷データであり、従って、出力先
の通信ポートには通信ポート１７Ａが指定され、プリンター３Ａに依存したコマンドで表
現されている。
【００４２】
次に、出力された印刷データは、指定された通信ポートに（ここでは、通信ポート１７
Ａに）届く前に仮想ポート１３によって受け取られる（ステップＳ１）。かかる処理は、
通信ポート１７Ａへ向けたデータを、まず、仮想ポート１３が受け取るように、レジスト
リーの（優先度の）設定を変更しておくことで実現され、かかる設定変更はＯＳの起動時
に実行される。その後、受け取られた印刷データは、仮想ポート１３からアプリケーショ
ン層１１０の機能拡張処理部１４に転送される（ステップＳ１）。
【００４３】
次に、機能拡張処理部１４は、転送された印刷データを解析する（ステップＳ２）。具
体的には、印刷データのコマンドを解釈し、データ格納部１５に記憶される、上述した印
刷物を判別するためのルールに従って、当該印刷データの印刷物を判別する。そして、印
刷物がレシートであった場合には、データ格納部１５に記憶される、上述した位置の情報
に従って、販売された（顧客によって購入された）商品の商品名や商品コードなどの商品
識別情報が印刷される場所の印刷データを取得する。なお、ここでは、印刷物がレシート
でない場合、当該解析処理を終了する。
【００４４】
上記印刷データの取得後、機能拡張処理部１４は、当該レシートの出力に合わせて顧客
側ディスプレイ２Ａに広告宣伝表示を行うか否かを判断する。具体的には、取得した商品
識別情報のデータを、データ格納部１５に記憶される上述した表示ルールの商品識別情報
と比較し、表示ルールに一致するものがあれば、上記広告宣伝表示を行うと判断する。一
方、一致するものがなければ当該表示を行わないと判断する。
【００４５】
以上のようにして印刷データの解析が終了すると、機能拡張処理部１４は、上記転送さ
れた印刷データを通信ポート１７Ａに向けて出力する（ステップＳ２）。出力された印刷
データは、通信ポート１７Ａを介してプリンター３Ａに送られ、当該印刷データによりレ
シートが印刷される。
【００４６】
一方、上記データ解析後、上記広告宣伝表示を行わないと判断された場合には（ステッ
プＳ３のＮｏ）、当該印刷データについての広告宣伝処理を終了する。
【００４７】
一方、上記広告宣伝表示を行うと判断された場合には（ステップＳ３のＹｅｓ）、機能
拡張処理部１４は、表示する画像データの生成と出力の処理を実行する（ステップＳ４）
。具体的には、表示ルールの上記一致した商品識別情報に対して表示ルールに収められて
いる表示内容を参照し、表示する画像を顧客用ディスプレイ２Ａ用のデータとして生成す
る。その際、必要に応じて上述した画像ＤＢに格納される商品の画像データ等を用いる。
なお、表示する内容は、当該商品識別情報の商品に関する広告宣伝情報とすることができ
る。
【００４８】
また、表示を行う商品についてクーポン券を発行できることが表示ルールに示されてい
る場合には、表示する広告宣伝画面の所定箇所に、クーポン券の発行をするか否かの指示
を顧客に促す表示を追加するよう、画像データを生成する。また、複数の商品について広
告宣伝表示を行う場合など、当該表示が複数ページ（画面）に及ぶ場合には、表示画面の
所定箇所に、表示ページ（画面）の変更指示を顧客に促す表示を追加するように、画像デ
ータを生成する。
【００４９】
このようにして生成された表示用データは、機能拡張処理部１４から通信ポート１７Ｃ
に向けて出力される。
【００５０】
出力された表示用データは通信ポート１７Ｃを介して顧客用ディスプレイ２Ａに渡され
、ここで表示される。すなわち、顧客に対する広告宣伝表示がなされる。そして、上述し
たクーポン券発行のための表示がない場合、及び、当該表示に対して顧客が発行しない旨
の指示を行った場合には（ステップＳ５のＮｏ）、当該印刷データについての広告宣伝処
理を終了する。なお、上記顧客の指示は、広告宣伝表示画面上の、上記クーポン券発行の
ための表示の所定箇所を触れることによってなされ、当該指示が顧客用ディスプレイ２Ａ
から機能拡張処理部１４へ通知されて処理が終了される。
【００５１】
一方、上記表示に対して顧客がクーポン券を発行する旨の指示を行った場合には（ステ
ップＳ５のＹｅｓ）、その指示が顧客用ディスプレイ２Ａから機能拡張処理部１４へ通知
され、機能拡張処理部１４は、発行を指示されたクーポン券の印刷データの生成及び出力
の処理を実行する（ステップＳ６）。なお、上記顧客による発行の指示は、広告宣伝表示
画面上の、上記クーポン券発行のための表示の所定箇所を触れることによってなされる。
また、上記クーポン券発行のための表示には、発行されるクーポン券の内容（次回購入時
５０％オフなど）を表示してもよい。
【００５２】
上記クーポン券の印刷データ生成では、具体的には、上述した表示ルールにおいて、顧
客がクーポン発行を指示した商品に対して収められるクーポンの内容を参照し、その内容
に従ったクーポン券の印刷データを、必要に応じて上記画像ＤＢのロゴ等を利用して生成
する。クーポン券をカラーで発行する場合にはプリンター３Ｂで印刷するため、プリンタ
ー３Ｂ用のコマンドで表現した印刷データとして生成し、その印刷データを通信ポート１
７Ｂに出力する。一方、クーポン券をモノクロで発行する場合にはプリンター３Ａで印刷
するため、プリンター３Ａ用のコマンドで表現した印刷データとして生成し、その印刷デ
ータを通信ポート１７Ａに出力する。
【００５３】
その後、出力された印刷データは通信ポート１７を介してプリンター３に送られ、プリ
ンター３において当該印刷データに基づくクーポン券の印刷が実行される。
【００５４】
そして、印刷されたクーポン券が出力されて、当該印刷データ（レシート）についての
広告宣伝処理を終了する。
【００５５】
なお、上述の説明では、クーポン券の発行処理を行っていたが、当該処理を行わずに、
広告宣伝機能として広告宣伝表示のみを行うようにしてもよい。この場合には、図２にお
けるステップＳ４までの処理で広告宣伝処理を終了する。
【００５６】
また、上述の説明では、レシートとクーポン券を別々の印刷物として印刷したが、クー
ポン券を発行する場合に、レシート用紙内にクーポン券を印刷するようにしてもよい。例
えば、レシートの印刷面の下部やレシートの裏面にクーポン券を印刷するようにしてもよ
い。裏面に印刷する場合には、当該クーポン付のレシートを印刷するプリンター３は、両
面印刷が可能なプリンターとする。
【００５７】
かかる処理を行う場合には、図２におけるステップＳ２のデータ出力（仮想ポート１３
から転送された印刷データの通信ポート１７Ａへの出力）をこの時点で行わずに、クーポ
ン券の発行を行わない場合には、そのことが決定したした時点で（Ｓ３のＮｏ及びＳ５の
Ｎｏ）当該データ出力を上述の通り実行する。一方、クーポン券の発行を行う場合には、
ステップＳ６の処理で、クーポン券の印刷データを、仮想ポート１３から転送されたレシ
ートの印刷データに統合した後に、データ出力を実行する。この統合後のデータ出力では
、クーポン付レシートの印刷色に適したプリンター３が接続される通信ポート１７に対し
て出力が行われる。
【００５８】
以上説明したように、本実施の形態例に係る広告宣伝機能拡張プログラムを用いること
により、既存のＰＯＳ端末装置に顧客側ディスプレイやカラープリンターなどの新規装置
を導入した際に、既存のＰＯＳアプリケーションプログラムの変更を伴わない容易な方法
で、既存ＰＯＳシステムに対し、顧客に対する広告宣伝表示やクーポン券の発行といった
広告宣伝機能を追加することができる。すなわち、図１における太線で示した部分を追加
することにより、当該機能追加が可能になる。
【００５９】
また、主な機能拡張処理は、コンピューターのアプリケーション層で行うように構成す
るので、多彩な処理を実行させるプログラムの開発を容易に行うことができる。
【００６０】
また、上述した表示ルールをユーザーが適宜変更可能であるので、自在な宣伝広告をタ
イムリーに行うことができる。
【００６１】
また、クーポン券を発行する場合に、上述のように、レシートの裏面に統合することに
より、用紙の効率的な利用に寄与できる。
【００６２】
本発明の保護範囲は、上記の実施の形態に限定されず、特許請求の範囲に記載された発
明とその均等物に及ぶものである。
【符号の説明】
【００６３】
１  ＰＯＳ端末装置、  ２Ａ  顧客側ディスプレイ、  ２Ｂ  店員側ディスプレイ、  
３  プリンター、  １１  ＰＯＳアプリケーション、  １２  プリンター３Ａ用ドライバ
ー、  １３  仮想ポート、  １４  機能拡張処理部、  １５  データ格納部、  １６  ル
ール設定部、  １７  通信ポート、  １１０  アプリケーション層、  １２０  ＯＳカー
ネル層、  １３０  物理層
【図１】
0005742416.tif 000002
【図２】
0005742416.tif 000003